(57)【要約】  将来の無線通信システムにおいて、上り制御チャネルを適切に送信する。ユーザ端末は、上り制御チャネルの周波数ホッピングが有効であるか否かを示す周波数ホッピング情報を受信する受信部と、前記周波数ホッピング情報に基づいて、時間領域直交カバーコードの拡散率と、復調用参照符号の構成と、基準系列と、の少なくとも１つを前記上り制御チャネルに適用する制御部と、を有する。
2019159299.tif 000002
【特許請求の範囲】
【請求項１】
上り制御チャネルの周波数ホッピングが有効であるか否かを示す周波数ホッピング情報を受信する受信部と、
前記周波数ホッピング情報に基づいて、時間領域直交カバーコードの拡散率と、復調用参照符号の構成と、基準系列と、の少なくとも１つを前記上り制御チャネルに適用する制御部と、を有することを特徴とするユーザ端末。
【請求項２】
前記上り制御チャネルに適用される時間領域直交カバーコードのために、非周波数ホッピング用の第１拡散率と周波数ホッピング用の第２拡散率とが、予め設定され、
前記制御部は、前記周波数ホッピング情報が無効を示す場合、前記第１拡散率を前記上り制御チャネルに適用し、前記周波数ホッピング情報が有効を示す場合、前記第２拡散率を前記上り制御チャネルに適用することを特徴とする請求項１に記載のユーザ端末。
【請求項３】
前記制御部は、前記周波数ホッピング情報が有効であるか否かに関わらず、前記上り制御チャネルに１つの基準系列を適用することを特徴とする請求項１に記載のユーザ端末。
【請求項４】
前記制御部は、前記周波数ホッピング情報が有効を示す場合、前記上り制御チャネルにおける前記周波数ホッピングのタイミングにおいて、前記上り制御チャネルに適用する基準系列を変更することを特徴とする請求項１に記載のユーザ端末。
【請求項５】
前記上り制御チャネルに含まれる復調用参照符号のために、第１復調用参照信号構成と、第２復調用参照信号構成とが、予め設定され、
前記制御部は、前記周波数ホッピング情報が無効を示す場合、前記第１復調用参照信号構成を前記上り制御チャネルに適用し、前記周波数ホッピング情報が有効を示す場合、前記第２復調用参照信号構成を前記上り制御チャネルに適用することを特徴とする請求項２に記載のユーザ端末。
【請求項６】
上り制御チャネルの周波数ホッピングが有効であるか否かを示す周波数ホッピング情報を受信する工程と、
前記周波数ホッピング情報に基づいて、時間領域直交カバーコードの拡散率と、復調用参照符号の構成と、基準系列と、の少なくとも１つを前記上り制御チャネルに適用する工程と、を有することを特徴とするユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５以降、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上りデータチャネル（例えば、ＰＵＳＣＨ：Physical  Uplink  Shared  Channel）を用いて、上りリンク制御情報（ＵＣＩ：Uplink  Control  Information）を送信する。当該上り制御チャネルの構成（フォーマット）は、ＰＵＣＣＨフォーマット（ＰＦ：PUCCH  Format）等と呼ばれる。【０００５】
また、既存のＬＴＥシステムでは、ユーザ端末は、１ｍｓのＴＴＩ内でＵＬチャネルとＤＭＲＳ（Demodulation  Reference  Signal）とを多重して送信する。１ｍｓのＴＴＩ内では、同一のユーザ端末の異なるレイヤ（又は異なるユーザ端末）の複数のＤＭＲＳが巡回シフト（ＣＳ：Cyclic  Shift）及び／又は直交拡散符号（例えば、直交カバーコード（ＯＣＣ：Orthogonal  Cover  Code））を用いて、直交多重される。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＬＴＥ  Ｒｅｌ．１５以降、５Ｇ、５Ｇ＋、ＮＲなど）では、上り制御チャネル（例えば、ＰＵＣＣＨ）を用いてＵＣＩを送信する場合、上位レイヤシグナリング及び下り制御情報（ＤＣＩ）内の所定フィールド値に基づいて、当該上り制御チャネル用のリソース（例えば、ＰＵＣＣＨリソース）を決定することが検討されている。また、ＰＵＣＣＨリソースが複数のパラメータを含むことが検討されている。【０００８】
ユーザ端末が、決定されたＰＵＣＣＨリソースに含まれる複数のパラメータを適切に解釈しなければ、ＰＵＣＣＨを適切に送信できないおそれがある。【０００９】
本発明はかかる点に鑑みてなされたものであり、上り制御チャネルを適切に送信するユーザ端末及び無線通信方法を提供することを目的の一つとする。
【課題を解決するための手段】
【００１０】
本発明の一態様に係るユーザ端末は、上り制御チャネルの周波数ホッピングが有効であるか否かを示す周波数ホッピング情報を受信する受信部と、前記周波数ホッピング情報に基づいて、時間領域直交カバーコードの拡散率と、復調用参照符号の構成と、基準系列と、の少なくとも１つを前記上り制御チャネルに適用する制御部と、を有することを特徴とする。
【発明の効果】
【００１１】
本発明によれば、将来の無線通信システムにおいて、上り制御チャネルを適切に送信できる。
【図面の簡単な説明】
【００１２】
【図１】ＰＵＣＣＨリソースの割り当ての一例を示す図である。
【図２】ＰＵＣＣＨ長及びＳＦの関連付けの一例を示す図である。
【図３】ＳＦ及び時間領域ＯＣＣの関連付けの一例を示す図である。
【図４】図４Ａ及び図４Ｂは、第１の態様に係るＳＦの決定方法の一例を示す図である。
【図５】図５Ａ及び図５Ｂは、第２の態様に係るＤＭＲＳ構成の決定方法の一例を示す図である。
【図６】図６Ａ及び図６Ｂは、態様３−１に係る基準系列及びＳＦの決定方法の一例を示す図である。
【図７】図７Ａ及び図７Ｂは、態様３−２に係る基準系列及びＳＦの決定方法の一例を示す図である。
【図８】図８Ａ及び図８Ｂは、第４の態様に係るＳＦの決定方法の一例を示す図である。
【図９】図９Ａ及び図９Ｂは、第５の態様に係るＳＦの決定方法の一例を示す図である。
【図１０】図１０Ａ及び図１０Ｂは、第６の態様に係るＤＭＲＳ構成の決定方法の一例を示す図である。
【図１１】図１１Ａ及び図１１Ｂは、態様７−１に係る基準系列及びＳＦの決定方法の一例を示す図である。
【図１２】図１２Ａ及び図１２Ｂは、態様７−２に係る基準系列及びＳＦの決定方法の一例を示す図である。
【図１３】図１３Ａ及び図１３Ｂは、第８の態様に係るＳＦの決定方法の一例を示す図である。
【図１４】図１４Ａ及び図１４Ｂは、第９の態様に係るＤＭＲＳ構成の決定方法の一例を示す図である。
【図１５】図１５Ａ及び図１５Ｂは、態様１０−１に係る基準系列及びＳＦの決定方法の一例を示す図である。
【図１６】図１６Ａ及び図１６Ｂは、態様１０−２に係る基準系列及びＳＦの決定方法の一例を示す図である。
【図１７】本実施の形態に係る無線通信システムの概略構成の一例を示す図である。
【図１８】本実施の形態に係る無線基地局の全体構成の一例を示す図である。
【図１９】本実施の形態に係る無線基地局の機能構成の一例を示す図である。
【図２０】本実施の形態に係るユーザ端末の全体構成の一例を示す図である。
【図２１】本実施の形態に係るユーザ端末の機能構成の一例を示す図である。
【図２２】本実施の形態に係る無線基地局及びユーザ端末のハードウェア構成の一例を示す図である。
【発明を実施するための形態】
【００１３】
将来の無線通信システム（例えば、ＬＴＥ  Ｒｅｌ．１５以降、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００１４】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう）の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、巡回シフト（ＣＳ：Cyclic  Shift）及び直交系列（例えば、ＯＣＣ（Orthogonal  Cover  Code）、時間領域ＯＣＣ（time  domain  OCC）））の少なくとも一つを用いた時間領域のブロック拡散（block-wise  spreading）によって、同一のリソースブロック（物理リソースブロック（ＰＲＢ：Physical  Resource  Block））内で複数のユーザ端末が符号分割多重（ＣＤＭ）されてもよい。
【００１５】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ４では、直交系列（例えば、ＯＣＣ、pre-DFT  OCC、周波数領域ＯＣＣ）を用いて、ＤＦＴ前の（周波数領域）のブロック拡散を用いて複数のユーザ端末のＵＣＩがＣＤＭされてもよい。ＰＦ４では、復調用参照信号（Demodulation  Reference  Signal：ＤＭＲＳ）を用いて、ＤＦＴ前の（周波数領域）のブロック拡散を用いて複数のユーザ端末のＵＣＩがＣＤＭされてもよい。
【００１６】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００１７】
具体的には、ユーザ端末に対しては、一以上のＰＵＣＣＨリソースをそれぞれ含む一以上のセット（ＰＵＣＣＨリソースセット）が上位レイヤシグナリングにより通知（設定（configure））される。例えば、ユーザ端末に対して、Ｋ（例えば、１≦Ｋ≦４）個のＰＵＣＣＨリソースセットが無線基地局から通知されてもよい。各ＰＵＣＣＨリソースセットは、Ｍ（例えば、４≦Ｍ≦８）個のＰＵＣＣＨリソースを含んでもよい。
【００１８】
ユーザ端末は、ＵＣＩのペイロードサイズ（ＵＣＩペイロードサイズ）に基づいて、設定されたＫ個のＰＵＣＣＨリソースセットから単一のＰＵＣＣＨリソースセットを決定してもよい。ＵＣＩペイロードサイズは、巡回冗長検査（ＣＲＣ：Cyclic  Redundancy  Code）ビットを含まないＵＣＩのビット数であってもよい。
【００１９】
ユーザ端末は、決定されたＰＵＣＣＨリソースセットに含まれるＭ個のＰＵＣＣＨリソースから、ＤＣＩ及び黙示的な（implicit）情報（黙示的指示（implicit  indication）情報、黙示的インデックス又は暗示的（implicit）インデックス等ともいう）の少なくとも一つに基づいて、ＵＣＩの送信に用いるＰＵＣＣＨリソースを決定してもよい。
【００２０】
図１は、ＰＵＣＣＨリソースの割り当ての一例を示す図である。図１では、一例として、Ｋ＝４であり、４個のＰＵＣＣＨリソースセット＃０−＃３が無線基地局からユーザ端末に上位レイヤシグナリングにより設定（configure）されるものとする。また、ＰＵＣＣＨリソースセット＃０−＃３は、それぞれ、Ｍ（例えば、４≦Ｍ≦８）個のＰＵＣＣＨリソース＃０−＃Ｍ−１を含むものとする。なお、各ＰＵＣＣＨリソースセットが含むＰＵＣＣＨリソースの数は、同一であってもよいし、異なってもよい。
【００２１】
図１において、ユーザ端末に設定される各ＰＵＣＣＨリソースは、以下の少なくとも一つのパラメータ（フィールド又は情報等ともいう）の値を含んでもよい。なお、各パラメータには、ＰＵＣＣＨフォーマット毎にとり得る値の範囲が定められてもよい。
・ＰＵＣＣＨの割り当てが開始されるシンボル（開始シンボル、最初のシンボル）
・スロット内でＰＵＣＣＨに割り当てられるシンボル数（ＰＵＣＣＨに割り当てられる期間）
・ＰＵＣＣＨの割り当てが開始されるリソースブロック（開始ＰＲＢ、最初（最低）のＰＲＢ）のインデックス（例えばPUCCH-starting-PRB）
・ＰＵＣＣＨに割り当てられるＰＲＢの数（例えば、ＰＦ２又は３用）
・ＰＵＣＣＨリソースに対する周波数ホッピングが有効（enabled）である無効（disabled）であるか（例えばPUCCH-frequency-hopping）
・周波数ホッピング後（第２ホップ）の周波数リソース（例えば、第２ホップにおける開始ＰＲＢ又は最初（最低）のＰＲＢのインデックス、PUCCH-2nd-hop-PRB）
・初期巡回シフト（ＣＳ）のインデックス（例えば、ＰＦ０又は１用）
・時間領域（time-domain）における直交系列（例えば、時間領域ＯＣＣ）のインデックス（例えば、ＰＦ１用）
・離散フーリエ変換（ＤＦＴ）前のブロック拡散（block-wise  spreading）に用いられる直交系列（例えば、Pre-DFT  OCC）の長さ（Pre-DFT  OCC長、拡散率等ともいう）（例えば、ＰＦ４用）
・ＤＦＴ前のブロック拡散に用いられる直交系列（例えば、Pre-DFT  OCC）のインデックス（例えば、ＰＦ４用）
【００２２】
図１に示すように、ユーザ端末に対してＰＵＣＣＨリソースセット＃０〜＃３が設定される場合、ユーザ端末は、ＵＣＩペイロードサイズに基づいていずれかのＰＵＣＣＨリソースセットを選択する。
【００２３】
例えば、ＵＣＩペイロードサイズが１又は２ビットである場合、ＰＵＣＣＨリソースセット＃０が選択される。また、ＵＣＩペイロードサイズが３ビット以上Ｎ２−１ビット以下である場合、ＰＵＣＣＨリソースセット＃１が選択される。また、ＵＣＩペイロードサイズがＮ２ビット以上Ｎ３−１ビット以下である場合、ＰＵＣＣＨリソースセット＃２が選択される。同様に、ＵＣＩペイロードサイズがＮ３ビット以上Ｎ３−１ビット以下である場合、ＰＵＣＣＨリソースセット＃３が選択される。
【００２４】
このように、ＰＵＣＣＨリソースセット＃ｉ（ｉ＝０，…，Ｋ−１）が選択されるＵＣＩペイロードサイズの範囲は、Ｎｉビット以上Ｎｉ＋１−１ビット以下（すなわち、｛Ｎｉ，…，Ｎｉ＋１−１｝ビット）と示される。
【００２５】
ここで、ＰＵＣＣＨリソースセット＃０、＃１用のＵＣＩペイロードサイズの開始位置（開始ビット数）Ｎ０、Ｎ１は、それぞれ、１、３であってもよい。これにより、２ビット以下のＵＣＩを送信する場合にＰＵＣＣＨリソースセット＃０が選択されるので、ＰＵＣＣＨリソースセット＃０は、ＰＦ０及びＰＦ１の少なくとも一つ用のＰＵＣＣＨリソース＃０〜＃Ｍ−１を含んでもよい。一方、２ビットを超えるＵＣＩを送信する場合にはＰＵＣＣＨリソースセット＃１〜＃３のいずれかが選択されるので、ＰＵＣＣＨリソースセット＃１〜＃３は、それぞれ、ＰＦ２、ＰＦ３及びＰＦ１の少なくとも一つ用のＰＵＣＣＨリソース＃０〜＃Ｍ−１を含んでもよい。
【００２６】
ｉ＝２，…,Ｋ−１である場合、ＰＵＣＣＨリソースセット＃ｉ用のＵＣＩのペイロードサイズの開始位置（Ｎｉ）を示す情報（開始位置情報）は、上位レイヤシグナリングを用いてユーザ端末に通知（設定）されてもよい。当該開始位置（Ｎｉ）は、ユーザ端末固有であってもよい。例えば、当該開始位置（Ｎｉ）は、４ビット以上２５６以下の範囲の値（例えば、４の倍数）に設定されてもよい。例えば、図１では、ＰＵＣＣＨリソースセット＃２、＃３用のＵＣＩペイロードサイズの開始位置（Ｎ２、Ｎ３）を示す情報が、それぞれ、上位レイヤシグナリング（例えば、ユーザ固有のＲＲＣシグナリング）がユーザ端末に通知される。
【００２７】
各ＰＵＣＣＨリソースセットのＵＣＩの最大のペイロードサイズは、ＮＫ−１で与えられる。ＮＫは、上位レイヤシグナリング及び／又はＤＣＩにより明示的にユーザ端末に通知（設定）されてもよいし、黙示的に導出されてもよい。例えば、図１では、Ｎ0＝１、Ｎ1＝３は仕様で規定されていて、Ｎ2とＮ3が上位レイヤシグナリングで通知されてもよい。また、Ｎ4は、仕様で規定されていてもよい（例えば、Ｎ4=1000）。
【００２８】
図１に示す場合、ユーザ端末は、ＵＣＩペイロードサイズに基づいて選択されるＰＵＣＣＨリソースセットに含まれるＰＵＣＣＨリソース＃０〜＃Ｍ−１の中から、ＤＣＩの所定フィールドの値、及び／又は他のパラメータに基づいて、ＵＣＩの送信に用いる単一のＰＵＣＣＨリソースを決定できる。例えば、当該所定フィールドのビット数が２ビットである場合、４種類のＰＵＣＣＨリソースを指定可能である。他のパラメータは、ＣＣＥインデックスであってもよい。例えば、ＰＵＣＣＨリソースは、２ビットのＤＣＩと他のパラメータとの組み合わせに関連付けられてもよいし、３ビットのＤＣＩに関連付けられてもよい。
【００２９】
例えば、ＵＣＩがＨＡＲＱ−ＡＣＫである場合、ユーザ端末（User  Equipment：ＵＥ）は、上位レイヤによって設定された複数のＰＵＣＣＨリソースセットからＵＣＩペイロードサイズによって１つを決定し、決定されたＰＵＣＣＨリソースセットからＤＣＩ及び／又は他のパラメータに基づいて、１つのＰＵＣＣＨリソースを決定してもよい。上記ＰＵＣＣＨリソースセットを用いたＰＵＣＣＨリソースの通知方法は、ＵＣＩがＨＡＲＱ−ＡＣＫと他のＵＣＩ（例えば、ＣＳＩ及び／又はＳＲ）を符号化して同時に送信する場合にも用いられてもよい。
【００３０】
一方、ＵＣＩにＨＡＲＱ−ＡＣＫが含まれない場合、ＰＵＣＣＨリソースセットを用いずにＰＵＣＣＨリソースが通知されてもよい。例えば、ＵＣＩがＣＳＩ及び／又はＳＲである場合、ＵＥは、上位レイヤによってセミスタティックに設定されたＰＵＣＣＨリソースを用いてもよい。
【００３１】
また、ＵＥは、ＰＵＣＣＨ送信のためのスロット数（ＰＵＣＣＨスロット数、ＰＵＣＣＨ繰り返し数）ＮPUCCHrepeatを上位レイヤパラメータ（例えば、ＰＦ１のためのPUCCH-F1-number-of-slots、ＰＦ３のためのPUCCH-F3-number-of-slots、又はＰＦ４のためのPUCCH-F4-number-of-slots）によって設定されてもよい。ＮPUCCHrepeatが１より大きい場合、ＵＥは、ＰＵＣＣＨを複数スロット（ＮPUCCHrepeatスロット）にわたって送信する。
【００３２】
ＵＥは、Ｎrepeatスロットの最初のスロット内のＰＵＣＣＨ送信におけるＵＣＩを、残りのＮrepeat−１スロットのそれぞれのＰＵＣＣＨ送信において繰り返す。
【００３３】
また、ＰＦ１においては、ＰＵＣＣＨの期間（ロングＰＵＣＣＨ期間：Long-PUCCH  duration、シンボル数）に応じて時間領域ＯＣＣにより多重されるユーザ端末の数が定められる。時間領域ＯＣＣによって多重されるユーザ端末の最大数は、ＯＣＣ多重キャパシティ（OCC  multiplexing  capacity）、ＯＣＣ長（OCC  length）又は拡散率（ＳＦ：Spreading  Factor）等と言い換えることもできる。
【００３４】
時間領域ＯＣＣに加えてサイクリックシフト（ＣＳ）を利用してＵＥの多重を行う場合、所定リソースにおける多重キャパシティの最大値は、ＯＣＣ多重キャパシティの最大値×ＣＳ数となる。ＣＳ数は、所定値（例えば、１２）としてもよい。
【００３５】
時間領域ＯＣＣをＰＵＣＣＨ（例えば、ＰＦ１）に適用する場合、直交性を維持する観点からは、１つの時間領域ＯＣＣを乗ずる期間内において基準系列（base  sequence）を同一とする（同じ基準系列を適用する）必要がある。なお、１つの時間領域ＯＣＣを乗ずる期間内において基準系列に適用するサイクリックシフトは異なる値を適用してもよい。
【００３６】
図２に示すように、ＰＵＣＣＨフォーマット１のための時間領域ＯＣＣのＳＦが、ＰＵＣＣＨ長（ＰＵＣＣＨシンボル数）に関連付けられてもよい。ＰＵＣＣＨ長に対し、スロット内ホッピング無し（no  intra-slot  hopping）用ＳＦと、スロット内ホッピング有り（intra-slot  hopping）用ＳＦとが関連付けられてもよい。スロット内ホッピングが１回である場合、スロット内ホッピング有り用ＳＦは、第１ホップ（1st  hop、周波数ホッピング前、ホッピングインデックスｍ＝０）用ＳＦと、第２ホップ（2nd  hop、周波数ホッピング後、ホッピングインデックスｍ＝１）用ＳＦと、を含んでもよい。このように、ＰＵＣＣＨ長の各値に対するＳＦを示すテーブルが仕様に規定されてもよい。
【００３７】
図３に示すように、ＳＦに対し、ＳＦと同数の時間領域ＯＣＣが関連付けられてもよい。ここで、時間領域ＯＣＣは、ｅｘｐ（ｊ２πφ／ＳＦ）によって表され、図３は、時間領域ＯＣＣを決定するφを示す。このように、ＳＦの各値に対する少なくとも１つの時間領域ＯＣＣを示すテーブルが仕様に規定されてもよい。
【００３８】
ＰＵＣＣＨ長及びＳＦの関連付けと、ＳＦに及び時間領域ＯＣＣの関連付けは、予め設定されてもよいし、仕様に規定されてもよい。
【００３９】
ＰＵＣＣＨリソースに含まれるパラメータによれば、周波数ホッピングに対し、ＰＵＣＣＨリソースの周波数ホッピングが有効（enable）であるか無効（disable）であるかが、上位レイヤパラメータ（例えばPUCCH-frequency-hopping）によって指示されてもよい。周波数ホッピング前の、又は周波数ホッピングしない場合の、最初のＰＲＢ（最低ＰＲＢ）のインデックスが、上位レイヤパラメータ（例えばPUCCH-starting-PRB）によって指示されてもよい。周波数ホッピング後の最初のＰＲＢ（最低ＰＲＢ）のインデックスが（例えばPUCCH-2nd-hop-PRB）によって指示されてもよい。
【００４０】
しかしながら、周波数ホッピングの設定に対するＵＥ動作の詳細がまだ決められていない。例えば、ＵＥがPUCCH-frequency-hopping等の周波数ホッピングに関するパラメータに基づいてどのように動作するかが明確でない。そこで、本発明者らは、ＰＵＣＣＨの周波数ホッピングの設定に対するＵＥ動作を検討し、本発明に至った。
【００４１】
以下、本実施の形態について詳細に説明する。以下で説明する実施の態様は単独で適用してもよいし、組み合わせて適用してもよい。
【００４２】
（第１の態様）
第１の態様では、ＵＥが、PUCCH-starting-PRB、PUCCH-2nd-hop-PRB、及びPUCCH-frequency-hopping（又はそれらに相当する３つのパラメータ）を設定され、PUCCH-starting-PRB及びPUCCH-2nd-hop-PRBが互いに等しい場合に、ＵＥが、ＰＵＣＣＨフォーマット１のためのＳＦを決定する方法について説明する。
【００４３】
ＰＵＣＣＨフォーマット１のためのＳＦが、ＰＵＣＣＨ長に関連付けられ、ＰＵＣＣＨ長に対し、スロット内ホッピング無し用ＳＦと、スロット内ホッピング有り用ＳＦとが関連付けられ、スロット内ホッピング有り用ＳＦが第１ホップ用ＳＦと第２ホップ用ＳＦとを含むとする（例えば、図２）。また、ＳＦに対し、時間領域ＯＣＣの系列が関連付けられるとする（例えば、図３）。
【００４４】
なお、ＵＥは、実際にＰＵＣＣＨのスロット内周波数ホッピングを実際に行わない場合であっても、スロット内ホッピング有り用ＳＦを用いてもよい。
【００４５】
ＵＥは、設定されたＰＵＣＣＨリソースのうち、PUCCH-starting-PRB、PUCCH-2nd-hop-PRB、及びPUCCH-frequency-hoppingに基づいて、ＳＦを決定してもよい。
【００４６】
PUCCH-starting-PRBがPUCCH-2nd-hop-PRBと等しく、且つPUCCH-frequency-hoppingが無効である場合、図４Ａに示すように、ＵＥは、スロット内ホッピング無し用ＳＦを適用してもよい。
【００４７】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（ＯＣＣ多重容量、多重するＵＥの最大数）を多くすることができる。
【００４８】
PUCCH-starting-PRBがPUCCH-2nd-hop-PRBと等しく、且つPUCCH-frequency-hoppingが有効である場合、図４Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。ここで、上記の周波数ホッピングタイミングは、PUCCH-starting-PRBがPUCCH-2nd-hop-PRBと異なり且つPUCCH-frequency-hoppingが有効である場合の周波数ホッピングタイミングと同じであってもよい。例えば、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【００４９】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【００５０】
第１の態様によれば、ＮＷ（ネットワーク、例えば、無線基地局、ｇＮＢ）は、周波数ホッピングの設定を用いて柔軟にＳＦ（ＯＣＣ長、またはＯＣＣ多重容量）を変更できる。
【００５１】
（第２の態様）
第２の態様では、ＵＥが、PUCCH-starting-PRB、PUCCH-2nd-hop-PRB、及びPUCCH-frequency-hopping（又はそれらに相当する３つのパラメータ）を設定され、PUCCH-starting-PRB及びPUCCH-2nd-hop-PRBが互いに等しい場合に、ＵＥが、ＰＵＣＣＨフォーマット３及び／又は４のためのＤＭＲＳ構成を決定する方法について説明する。ＤＭＲＳ構成は、ＤＭＲＳの位置（例えば、シンボル）であってもよい。
【００５２】
ＳＦと同様にして、ＰＵＣＣＨフォーマット３及び／又は４のためのＤＭＲＳ構成について、スロット内ホッピング無し（no  intra-slot  hopping）用のＤＭＲＳ構成と、スロット内ホッピング有り（intra-slot  hopping）用のＤＭＲＳ構成とが、仕様に規定されてもよい。スロット内ホッピング有り用のＤＭＲＳ構成が第１ホップ用ＤＭＲＳ構成と第２ホップ用ＤＭＲＳ構成とを含んでもよい。
【００５３】
ＵＥは、設定されたＰＵＣＣＨリソースのうち、PUCCH-starting-PRB、PUCCH-2nd-hop-PRB、及びPUCCH-frequency-hoppingに基づいて、ＤＭＲＳ構成を決定してもよい。
【００５４】
PUCCH-starting-PRBがPUCCH-2nd-hop-PRBと等しく、且つPUCCH-frequency-hoppingが無効である場合、図５Ａに示すように、ＵＥは、スロット内ホッピング無し用のＤＭＲＳ構成を適用してもよい。
【００５５】
PUCCH-starting-PRBがPUCCH-2nd-hop-PRBと等しく、且つPUCCH-frequency-hoppingが有効である場合、図５Ｂに示すように、ＵＥは、スロット内ホッピング有り用のＤＭＲＳ構成を適用してもよい。この場合、ＵＥは、周波数ホッピングタイミング前に第１ホップ用ＤＭＲＳ構成を適用し、周波数ホッピングタイミング後に第２ホップ用ＤＭＲＳ構成を適用してもよい。ここで、上記の周波数ホッピングタイミングは、PUCCH-starting-PRBがPUCCH-2nd-hop-PRBと異なり且つPUCCH-frequency-hoppingが有効である場合の周波数ホッピングタイミングと同じであってもよい。例えば、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【００５６】
なお、周波数ホッピングが適用されない場合のＤＭＲＳの位置は、周波数ホッピングが適用される場合のＤＭＲＳの位置と同じであってもよい。
【００５７】
第２の態様によれば、ＮＷは周波数ホッピングの設定を用いて柔軟にＤＭＲＳ構成を変更できる。
【００５８】
（第３の態様）
第３の態様では、ＵＥが、PUCCH-starting-PRB、PUCCH-2nd-hop-PRB、及びPUCCH-frequency-hopping（又はそれらに相当する３つのパラメータ）を設定され、PUCCH-starting-PRB及びPUCCH-2nd-hop-PRBが互いに等しい場合に、ＵＥが、ＰＵＣＣＨフォーマット０〜４（特に、ＰＵＣＣＨフォーマット０、１、３、４）の少なくとも１つのための基準系列、及び／又はＰＵＣＣＨフォーマット１のためのＳＦを決定する方法について説明する。基準系列は、基準系列インデックスによって表されてもよい。
【００５９】
基準系列は、Zadoff-Chu系列等のＣＡＺＡＣ（Constant  Amplitude  Zero  Auto-Correlation）系列（例えば、低ＰＡＰＲ（peak-to-average  power  ratio：ピーク対平均電力比）系列）であってもよいし、仕様によって規定された系列（例えば、低ＰＡＰＲ系列）であってもよいし、擬似拡散系列（例えば、Gold系列）であってもよい。例えば、帯域幅が１ＰＲＢであるＰＵＣＣＨは、仕様によって規定された所定数（例えば、３０個でもよいし、６０個でもよいし、基準系列長から定まる所定値でもよい）の系列の１つを基準系列として用いてもよい。基準系列は、ＵＣＩに用いられてもよいし、ＤＭＲＳに用いられてもよい。
【００６０】
第１の態様と同様、ＰＵＣＣＨフォーマット１のためのＳＦについて、スロット内ホッピング無し用ＳＦと、スロット内ホッピング有り用ＳＦとが、予め設定され又は仕様に規定されてもよい。
【００６１】
ＵＥは、設定されたＰＵＣＣＨリソースのうち、PUCCH-starting-PRB、PUCCH-2nd-hop-PRB、及びPUCCH-frequency-hoppingに基づいて、基準系列及び／又はＳＦを決定してもよい。
【００６２】
基準系列ホッピングとして、スロットを単位として基準系列をホッピングする方法（スロットレベル）と、周波数ホッピングのタイミングにおいて（ＯＣＣ長を単位として）基準系列をホッピングする方法（周波数ホップレベル、時間領域ＯＣＣレベル）が考えられる。
【００６３】
（態様３−１）
態様３−１では、スロットレベルの基準系列ホッピングが適用される場合について説明する。
【００６４】
PUCCH-starting-PRBがPUCCH-2nd-hop-PRBと等しく、且つPUCCH-frequency-hoppingが無効である場合、図６Ａに示すように、ＵＥは、スロット内ホッピング無し用ＳＦを適用してもよい。
【００６５】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【００６６】
また、ＵＥは、PUCCH-frequency-hoppingが有効であるか無効であるかに関わらず、１つのスロット内において１つの基準系列＃ｍ０を用いる。言い換えれば、周波数ホッピングのタイミングの前後で基準系列は変わらない。
【００６７】
PUCCH-starting-PRBがPUCCH-2nd-hop-PRBと等しく、且つPUCCH-frequency-hoppingが有効である場合、図６Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。ここで、上記の周波数ホッピングタイミングは、PUCCH-starting-PRBがPUCCH-2nd-hop-PRBと異なり且つPUCCH-frequency-hoppingが有効である場合の周波数ホッピングタイミングと同じであってもよい。例えば、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【００６８】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【００６９】
態様３−１によれば、ＮＷは、PUCCH-frequency-hoppingが有効であるか無効であるかによって、ＳＦ（ＯＣＣ長）を柔軟に変更できる。
【００７０】
（態様３−２）
態様３−２では、周波数ホップレベルの基準系列ホッピングが適用される場合について説明する。
【００７１】
なお、ＵＥは、実際にＰＵＣＣＨの周波数ホッピングを実際に行わない場合であっても、周波数ホッピングのタイミングにおいて基準系列ホッピングを行ってもよい。
【００７２】
PUCCH-starting-PRBがPUCCH-2nd-hop-PRBと等しく、且つPUCCH-frequency-hoppingが無効である場合、図７Ａに示すように、ＵＥは、スロット内ホッピング無し用ＳＦを適用してもよい。
【００７３】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【００７４】
また、PUCCH-frequency-hoppingが無効である場合、ＵＥは、周波数ホッピングを行わないため、周波数ホップレベルの基準系列ホッピングも行わない。よって、ＵＥは、１つのスロット内において１つの基準系列＃ｍ０を用いる。
【００７５】
PUCCH-starting-PRBがPUCCH-2nd-hop-PRBと等しく、且つPUCCH-frequency-hoppingが有効である場合、図７Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。
【００７６】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【００７７】
また、PUCCH-frequency-hoppingが有効である場合、ＵＥは、ＰＵＣＣＨフォーマット０〜４の少なくとも１つに対し、周波数ホッピングのタイミングにおいて基準系列ホッピングを行う（基準系列を切り替える）。この場合、ＵＥは、周波数ホッピングタイミング前に基準系列＃ｍ０を適用し、周波数ホッピングタイミング後に基準系列＃ｍ１を適用してもよい。
【００７８】
スロット内において基準系列が変化することによって、例えば、周波数ホッピング（基準系列ホッピング）の前及び後の少なくとも一方において、複数のＵＥが異なる基準系列を用いる確率が高くなる。したがって、基準系列の衝突確率が低くなり、セル間干渉（inter-cell  interference）に対する耐性が高くなる。
【００７９】
第３の態様によれば、ＮＷは周波数ホッピングの設定を用いて柔軟にＳＦを変更できる。また、ＵＥは、周波数ホッピングの設定に基づいて、基準系列ホッピングを適切に制御できる。
【００８０】
また、１つの時間領域ＯＣＣ内において同じ基準系列を使うことが好ましいため、スロットレベル又は周波数ホップレベルの基準系列ホッピングが適用される。一方、１つの時間領域ＯＣＣ内において巡回シフトを変えても時間領域ＯＣＣの直交性に影響を与えないため、巡回シフトに対し、シンボルを単位とするホッピング（シンボルレベル）が適用されてもよいし、基準系列と同様にして、スロットレベルのホッピング又は周波数ホップレベルの巡回シフトホッピングが適用されてもよい。
【００８１】
（第４の態様）
第４の態様では、ＰＵＣＣＨフォーマット０〜４の少なくとも１つに対し、周波数ホッピングに関する上位レイヤパラメータを削減する方法について説明する。
【００８２】
ＵＥは、設定されたＰＵＣＣＨリソースのうち、PUCCH-starting-PRB、PUCCH-2nd-hop-PRBに基づいて、ＰＵＣＣＨの周波数ホッピングが有効であるか否かを決定してもよい。言い換えれば、PUCCH-frequency-hoppingがＵＥへ通知されてなくてもよい。
【００８３】
ＵＥが、互いに等しいPUCCH-starting-PRB及びPUCCH-2nd-hop-PRBを設定された場合、図８Ａに示すように、ＵＥは、PUCCH-frequency-hoppingが無効であると想定してもよい。
【００８４】
例えば、ＵＥは、第１の態様、第２の態様、第３の態様の少なくとも１つを用いて、PUCCH-frequency-hoppingが無効である場合の、ＳＦ、ＤＭＲＳ構成、基準系列の少なくとも１つを決定してもよい。
【００８５】
ＵＥが、互いに異なるPUCCH-starting-PRB及びPUCCH-2nd-hop-PRBを設定された場合、図８Ｂに示すように、ＵＥは、PUCCH-frequency-hoppingが有効であると想定してもよい。
【００８６】
例えば、ＵＥは、第１の態様、第２の態様、第３の態様の少なくとも１つを用いて、PUCCH-frequency-hoppingが有効である場合の、ＳＦ、ＤＭＲＳ構成、基準系列の少なくとも１つを決定してもよい。
【００８７】
第４の態様によれば、ＮＷがＰＵＣＣＨの周波数ホッピングが有効であるか無効であるかを示す上位レイヤパラメータ（例えば、PUCCH-frequency-hopping）をＵＥへ通知しないことによって、上位レイヤパラメータを減らすことができ、ＵＥ動作が簡単になる。
【００８８】
（第５の態様）
第５の態様では、ＵＥが、少なくともPUCCH-starting-PRB及びPUCCH-2nd-hop-PRB（又はそれらに相当する２つのパラメータ）を設定された場合に、PUCCH-starting-PRB及びPUCCH-2nd-hop-PRBに基づいて、ＰＵＣＣＨフォーマット１のためのＳＦ（ＯＣＣ長）を決定する方法について説明する。
【００８９】
ＵＥが、互いに等しいPUCCH-starting-PRB及びPUCCH-2nd-hop-PRBを設定された場合、図９Ａに示すように、ＵＥは、PUCCH-frequency-hoppingが有効であるか無効であるかに関わらず、ＵＥは、スロット内ホッピング無し用ＳＦを適用してもよい。
【００９０】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【００９１】
ＵＥが、互いに異なるPUCCH-starting-PRB及びPUCCH-2nd-hop-PRBを設定された場合、図９Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。ここで、上記の周波数ホッピングタイミングに関し、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【００９２】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【００９３】
ＵＥは、スロット内においてＰＵＣＣＨの周波数ホッピングを行うことから、周波数ダイバーシチゲインを得られる。
【００９４】
ＵＥは、互いに異なるPUCCH-starting-PRB及びPUCCH-2nd-hop-PRBを設定された場合、PUCCH-frequency-hoppingが無効に設定されない（有効に設定される）と想定してもよい。また、ＵＥは、互いに異なるPUCCH-starting-PRB及びPUCCH-2nd-hop-PRBを設定された場合、PUCCH-frequency-hoppingが有効であるか無効であるかに関わらず、スロット内ホッピング有り用ＳＦを適用してもよい。
【００９５】
ＵＥは、PUCCH-frequency-hoppingが無効に設定され、且つ互いに等しいPUCCH-starting-PRB及びPUCCH-2nd-hop-PRBを設定された場合、スロット内ホッピング無し用ＳＦを適用し、ＵＥは、PUCCH-frequency-hoppingが有効に設定され、且つ互いに異なるPUCCH-starting-PRB及びPUCCH-2nd-hop-PRBを設定された場合、スロット内ホッピング有り用ＳＦを適用する、というＵＥ動作を行ってもよい。当該ＵＥ動作を行うＵＥは、PUCCH-frequency-hoppingが無効に設定され、且つ互いに異なるPUCCH-starting-PRB及びPUCCH-2nd-hop-PRBを設定された場合、その設定を無効と想定してもよい（その組み合わせが設定されないと想定してもよい）。当該ＵＥ動作を行うＵＥは、PUCCH-frequency-hoppingが有効に設定され、且つ互いに等しいPUCCH-starting-PRB及びPUCCH-2nd-hop-PRBを設定された場合、その設定を無効と想定してもよい（その組み合わせが設定されないと想定してもよい）。
【００９６】
第５の態様によれば、ＮＷは周波数ホッピングの設定を用いて柔軟にＳＦを変更できる。
【００９７】
ＮＷは、ＰＵＣＣＨの周波数ホッピングが有効であるか無効であるかを示す上位レイヤパラメータ（例えば、PUCCH-frequency-hopping）をＵＥへ通知しなくてもよい。この場合、上位レイヤパラメータを減らすことができ、ＵＥ動作を簡単にできる。
【００９８】
（第６の態様）
第６の態様では、ＵＥが、少なくともPUCCH-starting-PRB及びPUCCH-2nd-hop-PRB（又はそれらに相当する２つのパラメータ）を設定された場合に、PUCCH-starting-PRB及びPUCCH-2nd-hop-PRBに基づいて、ＰＵＣＣＨフォーマット３及び／又は４のためのＤＭＲＳ構成を決定する方法について説明する。
【００９９】
ＳＦと同様にして、ＰＵＣＣＨフォーマット３及び／又は４のためのＤＭＲＳ構成について、スロット内ホッピング無し（no  intra-slot  hopping）用のＤＭＲＳ構成と、スロット内ホッピング有り（intra-slot  hopping）用のＤＭＲＳ構成とが、仕様に規定されてもよい。スロット内ホッピング有り用のＤＭＲＳ構成が第１ホップ用ＤＭＲＳ構成と第２ホップ用ＤＭＲＳ構成とを含んでもよい。
【０１００】
ＵＥは、設定されたＰＵＣＣＨリソースのうち、PUCCH-starting-PRB及びPUCCH-2nd-hop-PRBに基づいて、ＤＭＲＳ構成を決定してもよい。
【０１０１】
ＵＥが、互いに等しいPUCCH-starting-PRB及びPUCCH-2nd-hop-PRBを設定された場合、図１０Ａに示すように、ＵＥは、PUCCH-frequency-hoppingが有効であるか無効であるかに関わらず、ＵＥは、スロット内ホッピング無し用のＤＭＲＳ構成を適用してもよい。
【０１０２】
ＵＥが、互いに異なるPUCCH-starting-PRB及びPUCCH-2nd-hop-PRBを設定された場合、図１０Ｂに示すように、ＵＥは、スロット内ホッピング有り用のＤＭＲＳ構成を適用してもよい。この場合、ＵＥは、周波数ホッピングタイミング前に第１ホップ用ＤＭＲＳ構成を適用し、周波数ホッピングタイミング後に第２ホップ用ＤＭＲＳ構成を適用してもよい。ここで、上記の周波数ホッピングタイミングに関し、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【０１０３】
ＵＥは、互いに異なるPUCCH-starting-PRB及びPUCCH-2nd-hop-PRBを設定された場合、PUCCH-frequency-hoppingが無効に設定されない（有効に設定される）と想定してもよい。また、ＵＥは、互いに異なるPUCCH-starting-PRB及びPUCCH-2nd-hop-PRBを設定された場合、PUCCH-frequency-hoppingが有効であるか無効であるかに関わらず、スロット内ホッピング有り用のＤＭＲＳ構成を適用してもよい。
【０１０４】
ＵＥは、PUCCH-frequency-hoppingが無効に設定され、且つ互いに等しいPUCCH-starting-PRB及びPUCCH-2nd-hop-PRBを設定された場合、スロット内ホッピング無し用ＤＭＲＳ構成を適用し、ＵＥは、PUCCH-frequency-hoppingが有効に設定され、且つ互いに異なるPUCCH-starting-PRB及びPUCCH-2nd-hop-PRBを設定された場合、スロット内ホッピング有り用ＤＭＲＳ構成を適用する、というＵＥ動作を行ってもよい。当該ＵＥ動作を行うＵＥは、PUCCH-frequency-hoppingが無効に設定され、且つ互いに異なるPUCCH-starting-PRB及びPUCCH-2nd-hop-PRBを設定された場合、その設定を無効と想定してもよい（その組み合わせが設定されないと想定してもよい）。当該ＵＥ動作を行うＵＥは、PUCCH-frequency-hoppingが有効に設定され、且つ互いに等しいPUCCH-starting-PRB及びPUCCH-2nd-hop-PRBを設定された場合、その設定を無効と想定してもよい（その組み合わせが設定されないと想定してもよい）。
【０１０５】
なお、周波数ホッピングが適用されない場合のＤＭＲＳの位置は、周波数ホッピングが適用される場合のＤＭＲＳの位置と同じであってもよい。
【０１０６】
第６の態様によれば、ＮＷは周波数ホッピングの設定を用いて柔軟にＤＭＲＳ構成を変更できる。
【０１０７】
ＮＷは、ＰＵＣＣＨの周波数ホッピングが有効であるか無効であるかを示す上位レイヤパラメータ（例えば、PUCCH-frequency-hopping）をＵＥへ通知しなくてもよい。この場合、上位レイヤパラメータを減らすことができ、ＵＥ動作を簡単にできる。
【０１０８】
（第７の態様）
第７の態様では、ＵＥが、少なくともPUCCH-starting-PRB及びPUCCH-2nd-hop-PRB（又はそれらに相当する２つのパラメータ）を設定された場合に、PUCCH-starting-PRB及びPUCCH-2nd-hop-PRBに基づいて、ＰＵＣＣＨフォーマット０〜４（特に、ＰＵＣＣＨフォーマット０、１、３、４）の少なくとも１つのための基準系列、及び／又はＰＵＣＣＨフォーマット１のためのＳＦを決定する方法について説明する。
【０１０９】
ＵＥは、設定されたＰＵＣＣＨリソースのうち、PUCCH-starting-PRB及びPUCCH-2nd-hop-PRBに基づいて、基準系列及び／又はＳＦを決定してもよい。
【０１１０】
（態様７−１）
態様７−１では、スロットレベルの基準系列ホッピングが適用される場合について説明する。
【０１１１】
ＵＥが、互いに等しいPUCCH-starting-PRB及びPUCCH-2nd-hop-PRBを設定された場合、図１１Ａに示すように、ＵＥは、PUCCH-frequency-hoppingが有効であるか無効であるかに関わらず、ＵＥは、スロット内ホッピング無し用ＳＦを適用してもよい。
【０１１２】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【０１１３】
ＵＥが、互いに異なるPUCCH-starting-PRB及びPUCCH-2nd-hop-PRBを設定された場合、図１１Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。ここで、上記の周波数ホッピングタイミングに関し、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【０１１４】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【０１１５】
ＵＥは、PUCCH-starting-PRB及びPUCCH-2nd-hop-PRBが等しいか否かに関わらず、１つのスロット内において１つの基準系列＃ｍ０を用いる。言い換えれば、周波数ホッピングのタイミングの前後で基準系列は変わらない。
【０１１６】
ＵＥは、互いに異なるPUCCH-starting-PRB及びPUCCH-2nd-hop-PRBを設定された場合、PUCCH-frequency-hoppingが無効に設定されない（有効に設定される）と想定してもよい。また、ＵＥは、互いに異なるPUCCH-starting-PRB及びPUCCH-2nd-hop-PRBを設定された場合、PUCCH-frequency-hoppingが有効であるか無効であるかに関わらず、スロット内ホッピング有り用ＳＦを適用してもよい。
【０１１７】
ＵＥは、PUCCH-frequency-hoppingが無効に設定され、且つ互いに等しいPUCCH-starting-PRB及びPUCCH-2nd-hop-PRBを設定された場合、スロット内ホッピング無し用ＳＦを適用し、ＵＥは、PUCCH-frequency-hoppingが有効に設定され、且つ互いに異なるPUCCH-starting-PRB及びPUCCH-2nd-hop-PRBを設定された場合、スロット内ホッピング有り用ＳＦを適用する、というＵＥ動作を行ってもよい。当該ＵＥ動作を行うＵＥは、PUCCH-frequency-hoppingが無効に設定され、且つ互いに異なるPUCCH-starting-PRB及びPUCCH-2nd-hop-PRBを設定された場合、その設定を無効と想定してもよい（その組み合わせが設定されないと想定してもよい）。当該ＵＥ動作を行うＵＥは、PUCCH-frequency-hoppingが有効に設定され、且つ互いに等しいPUCCH-starting-PRB及びPUCCH-2nd-hop-PRBを設定された場合、その設定を無効と想定してもよい（その組み合わせが設定されないと想定してもよい）。
【０１１８】
態様７−１によれば、ＮＷは、PUCCH-starting-PRB及びPUCCH-2nd-hop-PRBが等しいか否かによって、ＳＦ（ＯＣＣ長）を柔軟に変更できる。
【０１１９】
（態様７−２）
態様７−２では、周波数ホップレベルの基準系列ホッピングが適用される場合について説明する。
【０１２０】
ＵＥが、互いに等しいPUCCH-starting-PRB及びPUCCH-2nd-hop-PRBを設定された場合、図１２Ａに示すように、ＵＥは、PUCCH-frequency-hoppingが有効であるか無効であるかに関わらず、ＵＥは、スロット内ホッピング無し用ＳＦを適用してもよい。
【０１２１】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【０１２２】
また、ＵＥは、互いに等しいPUCCH-starting-PRB及びPUCCH-2nd-hop-PRBを設定された場合、周波数ホッピングを行わないため、周波数ホップレベルの基準系列ホッピングも行わない。よって、ＵＥは、１つのスロット内において１つの基準系列を用いる。
【０１２３】
ＵＥが、互いに異なるPUCCH-starting-PRB及びPUCCH-2nd-hop-PRBを設定された場合、図１２Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。
【０１２４】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【０１２５】
また、ＵＥが、互いに異なるPUCCH-starting-PRB及びPUCCH-2nd-hop-PRBを設定された場合、ＵＥは、周波数ホッピングを行うため、ＰＵＣＣＨフォーマット０〜４の少なくとも１つに対し、周波数ホッピングのタイミングにおいて基準系列ホッピング（基準系列を切り替える）。この場合、ＵＥは、周波数ホッピングタイミング前に基準系列＃ｍ０を適用し、周波数ホッピングタイミング後に基準系列＃ｍ１を適用してもよい。
【０１２６】
スロット内において基準系列が変化することによって、例えば、周波数ホッピング（基準系列ホッピング）の前及び後の少なくとも一方において、複数のＵＥが異なる基準系列を用いる確率が高くなる。したがって、基準系列の衝突確率が低くなり、セル間干渉（inter-cell  interference）に対する耐性が高くなる。
【０１２７】
ＵＥは、互いに異なるPUCCH-starting-PRB及びPUCCH-2nd-hop-PRBを設定された場合、PUCCH-frequency-hoppingが無効に設定されない（有効に設定される）と想定してもよい。また、ＵＥは、互いに異なるPUCCH-starting-PRB及びPUCCH-2nd-hop-PRBを設定された場合、PUCCH-frequency-hoppingが有効であるか無効であるかに関わらず、スロット内ホッピング有り用ＳＦを適用してもよい。
【０１２８】
ＵＥは、PUCCH-frequency-hoppingが無効に設定され、且つ互いに等しいPUCCH-starting-PRB及びPUCCH-2nd-hop-PRBを設定された場合、スロット内ホッピング無し用ＳＦを適用し、ＵＥは、PUCCH-frequency-hoppingが有効に設定され、且つ互いに異なるPUCCH-starting-PRB及びPUCCH-2nd-hop-PRBを設定された場合、スロット内ホッピング有り用ＳＦを適用する、というＵＥ動作を行ってもよい。当該ＵＥ動作を行うＵＥは、PUCCH-frequency-hoppingが無効に設定され、且つ互いに異なるPUCCH-starting-PRB及びPUCCH-2nd-hop-PRBを設定された場合、その設定を無効と想定してもよい（その組み合わせが設定されないと想定してもよい）。当該ＵＥ動作を行うＵＥは、PUCCH-frequency-hoppingが有効に設定され、且つ互いに等しいPUCCH-starting-PRB及びPUCCH-2nd-hop-PRBを設定された場合、その設定を無効と想定してもよい（その組み合わせが設定されないと想定してもよい）。
【０１２９】
第７の態様によれば、ＮＷは周波数ホッピングの設定を用いて柔軟にＳＦを変更できる。また、ＵＥは、周波数ホッピングの設定に基づいて、基準系列ホッピングを適切に制御できる。
【０１３０】
また、１つの時間領域ＯＣＣ内において同じ基準系列を使うことが好ましいため、スロットレベル又は周波数ホップレベルの基準系列ホッピングが適用される。一方、１つの時間領域ＯＣＣ内において巡回シフトを変えても時間領域ＯＣＣの直交性に影響を与えないため、巡回シフトに対し、シンボルを単位とするホッピング（シンボルレベル）が適用されてもよいし、基準系列と同様にして、スロットレベルのホッピング又は周波数ホップレベルの巡回シフトホッピングが適用されてもよい。
【０１３１】
（第８の態様）
第８の態様では、ＵＥが、PUCCH-frequency-hopping（又はそれに相当するパラメータ）を設定される場合に、ＵＥが、ＰＵＣＣＨフォーマット１のためのＳＦを決定する方法について説明する。
【０１３２】
ＰＵＣＣＨフォーマット１のためのＳＦが、ＰＵＣＣＨ長に関連付けられ、ＰＵＣＣＨ長に対し、スロット内ホッピング無し用ＳＦと、スロット内ホッピング有り用ＳＦとが関連付けられ、スロット内ホッピング有り用ＳＦが第１ホップ用ＳＦと第２ホップ用ＳＦとを含むとする（例えば、図２）。また、ＳＦに対し、時間領域ＯＣＣの系列が関連付けられるとする（例えば、図３）。
【０１３３】
なお、ＵＥは、実際にＰＵＣＣＨのスロット内周波数ホッピングを実際に行わない場合であっても、スロット内ホッピング有り用ＳＦを用いてもよい。
【０１３４】
ＵＥは、設定されたＰＵＣＣＨリソースのうち、PUCCH-frequency-hoppingに基づいて、ＳＦを決定してもよい。
【０１３５】
PUCCH-frequency-hoppingが無効である場合、図１３Ａに示すように、ＵＥは、スロット内ホッピング無し用ＳＦを適用してもよい。
【０１３６】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（ＯＣＣ多重容量、多重するＵＥの最大数）を多くすることができる。
【０１３７】
ＵＥは、上位レイヤシグナリングによって、無効を示すPUCCH-frequency-hoppingが通知された場合、次の動作１及び２の１つを行ってもよい。
【０１３８】
・動作１
ＵＥは、上位レイヤシグナリングによって通知されるPUCCH-starting-PRBの値と、上位レイヤシグナリングによって通知されるPUCCH-2nd-hop-PRBの値と、が同じであると想定する。
【０１３９】
・動作２
ＵＥは、上位レイヤシグナリングによってPUCCH-starting-PRBが通知されると想定し、PUCCH-2nd-hop-PRBの値を無視する、又はPUCCH-2nd-hop-PRBの値が無効であると想定する。
【０１４０】
PUCCH-frequency-hoppingが有効である場合、図１３Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。ここで、上記の周波数ホッピングタイミングに関し、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【０１４１】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【０１４２】
ＵＥは、上位レイヤシグナリングによって、有効を示すPUCCH-frequency-hoppingが通知された場合、上位レイヤシグナリングによって通知されるPUCCH-2nd-hop-PRBが、上位レイヤシグナリングによって通知されるPUCCH-starting-PRBと等しいか否かに関わらず、スロット内ホッピング有り用ＳＦをＰＵＣＣＨに適用してもよい。
【０１４３】
第８の態様によれば、ＮＷ（ネットワーク、例えば、無線基地局、ｇＮＢ）は、周波数ホッピングの設定を用いて柔軟にＳＦ（ＯＣＣ長、またはＯＣＣ多重容量）を変更できる。
【０１４４】
（第９の態様）
第９の態様では、ＵＥが、PUCCH-frequency-hopping（又はそれに相当するパラメータ）を設定される場合に、ＵＥが、ＰＵＣＣＨフォーマット３及び／又は４のためのＤＭＲＳ構成を決定する方法について説明する。ＤＭＲＳ構成は、ＤＭＲＳの位置（例えば、シンボル）であってもよい。
【０１４５】
ＳＦと同様にして、ＰＵＣＣＨフォーマット３及び／又は４のためのＤＭＲＳ構成について、スロット内ホッピング無し（no  intra-slot  hopping）用のＤＭＲＳ構成と、スロット内ホッピング有り（intra-slot  hopping）用のＤＭＲＳ構成とが、仕様に規定されてもよい。スロット内ホッピング有り用のＤＭＲＳ構成が第１ホップ用ＤＭＲＳ構成と第２ホップ用ＤＭＲＳ構成とを含んでもよい。
【０１４６】
ＵＥは、設定されたＰＵＣＣＨリソースのうち、PUCCH-frequency-hoppingに基づいて、ＤＭＲＳ構成を決定してもよい。
【０１４７】
PUCCH-frequency-hoppingが無効である場合、図１４Ａに示すように、ＵＥは、スロット内ホッピング無し用のＤＭＲＳ構成を適用してもよい。
【０１４８】
ＵＥは、上位レイヤシグナリングによって、無効を示すPUCCH-frequency-hoppingが通知された場合、次の動作１及び２の１つを行ってもよい。
【０１４９】
・動作１
ＵＥは、上位レイヤシグナリングによって通知されるPUCCH-starting-PRBの値と、上位レイヤシグナリングによって通知されるPUCCH-2nd-hop-PRBの値と、が同じであると想定する。
【０１５０】
・動作２
ＵＥは、上位レイヤシグナリングによってPUCCH-starting-PRBが通知されると想定し、PUCCH-2nd-hop-PRBの値を無視する、又はPUCCH-2nd-hop-PRBの値が無効であると想定する。
【０１５１】
PUCCH-frequency-hoppingが有効である場合、図１４Ｂに示すように、ＵＥは、スロット内ホッピング有り用のＤＭＲＳ構成を適用してもよい。この場合、ＵＥは、周波数ホッピングタイミング前に第１ホップ用ＤＭＲＳ構成を適用し、周波数ホッピングタイミング後に第２ホップ用ＤＭＲＳ構成を適用してもよい。ここで、上記の周波数ホッピングタイミングに関し、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【０１５２】
ＵＥは、上位レイヤシグナリングによって、有効を示すPUCCH-frequency-hoppingが通知された場合、上位レイヤシグナリングによって通知されるPUCCH-2nd-hop-PRBが、上位レイヤシグナリングによって通知されるPUCCH-starting-PRBと等しいか否かに関わらず、スロット内ホッピング有り用のＤＭＲＳ構成を適用してもよい。
【０１５３】
なお、周波数ホッピングが適用されない場合のＤＭＲＳの位置は、周波数ホッピングが適用される場合のＤＭＲＳの位置と同じであってもよい。
【０１５４】
第９の態様によれば、ＮＷは周波数ホッピングの設定を用いて柔軟にＤＭＲＳ構成を変更できる。
【０１５５】
（第１０の態様）
第１０の態様では、ＵＥが、PUCCH-frequency-hopping（又はそれに相当するパラメータ）を設定される場合に、ＵＥが、ＰＵＣＣＨフォーマット０〜４（特に、ＰＵＣＣＨフォーマット０、１、３、４）の少なくとも１つのための基準系列、及び／又はＰＵＣＣＨフォーマット１のためのＳＦを決定する方法について説明する。基準系列は、基準系列インデックスによって表されてもよい。
【０１５６】
基準系列は、Zadoff-Chu系列等のＣＡＺＡＣ（Constant  Amplitude  Zero  Auto-Correlation）系列（例えば、低ＰＡＰＲ（peak-to-average  power  ratio：ピーク対平均電力比）系列）であってもよいし、仕様によって規定された系列（例えば、低ＰＡＰＲ系列）であってもよいし、擬似拡散系列（例えば、Gold系列）であってもよい。例えば、帯域幅が１ＰＲＢであるＰＵＣＣＨは、仕様によって規定された所定数（例えば、３０個でもよいし、６０個でもよいし、基準系列長から定まる所定値でもよい）の系列の１つを基準系列として用いてもよい。基準系列は、ＵＣＩに用いられてもよいし、ＤＭＲＳに用いられてもよい。
【０１５７】
第８の態様と同様、ＰＵＣＣＨフォーマット１のためのＳＦについて、スロット内ホッピング無し用ＳＦと、スロット内ホッピング有り用ＳＦとが、予め設定され又は仕様に規定されてもよい。
【０１５８】
ＵＥは、設定されたＰＵＣＣＨリソースのうち、PUCCH-frequency-hoppingに基づいて、基準系列及び／又はＳＦを決定してもよい。
【０１５９】
基準系列ホッピングとして、スロットを単位として基準系列をホッピングする方法（スロットレベル）と、周波数ホッピングのタイミングにおいて（ＯＣＣ長を単位として）基準系列をホッピングする方法（周波数ホップレベル、時間領域ＯＣＣレベル）が考えられる。
【０１６０】
（態様１０−１）
ここでは、スロットレベルの基準系列ホッピングが適用される場合について説明する。
【０１６１】
PUCCH-frequency-hoppingが無効である場合、図１５Ａに示すように、ＵＥは、スロット内ホッピング無し用ＳＦを適用してもよい。
【０１６２】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【０１６３】
ＵＥは、上位レイヤシグナリングによって、無効を示すPUCCH-frequency-hoppingが通知された場合、次の動作１及び２の１つを行ってもよい。
【０１６４】
・動作１
ＵＥは、上位レイヤシグナリングによって通知されるPUCCH-starting-PRBの値と、上位レイヤシグナリングによって通知されるPUCCH-2nd-hop-PRBの値と、が同じであると想定する。
【０１６５】
・動作２
ＵＥは、上位レイヤシグナリングによってPUCCH-starting-PRBが通知されると想定し、PUCCH-2nd-hop-PRBの値を無視する、又はPUCCH-2nd-hop-PRBの値が無効であると想定する。
【０１６６】
PUCCH-frequency-hoppingが有効である場合、図１５Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。ここで、上記の周波数ホッピングタイミングに関し、１ホップ目（スロットのうち周波数ホッピングタイミング前の期間）のシンボル数がｆｌｏｏｒ（ＰＵＣＣＨシンボル数／２）、２ホップ目（スロットのうち周波数ホッピングタイミング後の期間）のシンボル数はｃｅｉｌ（ＰＵＣＣＨシンボル数／２）であってもよい。
【０１６７】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【０１６８】
また、ＵＥは、PUCCH-frequency-hoppingが有効であるか無効であるかに関わらず、１つのスロット内において１つの基準系列＃ｍ０を用いる。言い換えれば、周波数ホッピングのタイミングの前後で基準系列は変わらない。
【０１６９】
ＵＥは、上位レイヤシグナリングによって、有効を示すPUCCH-frequency-hoppingが通知された場合、上位レイヤシグナリングによって通知されるPUCCH-2nd-hop-PRBが、上位レイヤシグナリングによって通知されるPUCCH-starting-PRBと等しいか否かに関わらず、スロット内ホッピング有り用ＳＦをＰＵＣＣＨに適用してもよい。
【０１７０】
この態様によれば、ＮＷは、PUCCH-frequency-hoppingが有効であるか無効であるかによって、ＳＦ（ＯＣＣ長）を柔軟に変更できる。
【０１７１】
（態様１０−２）
ここでは、周波数ホップレベルの基準系列ホッピングが適用される場合について説明する。
【０１７２】
なお、ＵＥは、実際にＰＵＣＣＨの周波数ホッピングを実際に行わない場合であっても、周波数ホッピングのタイミングにおいて基準系列ホッピングを行ってもよい。
【０１７３】
PUCCH-frequency-hoppingが無効である場合、図１６Ａに示すように、ＵＥは、スロット内ホッピング無し用ＳＦを適用してもよい。
【０１７４】
スロット内ホッピング無し用ＳＦはスロット内ホッピング有り用ＳＦ（第１ホップ用ＳＦ及び第２ホップ用ＳＦのそれぞれ）よりも大きい。スロット内ホッピング無し用ＳＦを用いることによって、スロット内ホッピング有り用ＳＦを用いる場合に比べて、ＯＣＣ長が長く（ＯＣＣ数が多く）なる。したがって、ＯＣＣ多重キャパシティ（多重容量、多重するＵＥの最大数）を多くすることができる。
【０１７５】
ＵＥは、上位レイヤシグナリングによって、無効を示すPUCCH-frequency-hoppingが通知された場合、次の動作１及び２の１つを行ってもよい。
【０１７６】
・動作１
ＵＥは、上位レイヤシグナリングによって通知されるPUCCH-starting-PRBの値と、上位レイヤシグナリングによって通知されるPUCCH-2nd-hop-PRBの値と、が同じであると想定する。
【０１７７】
・動作２
ＵＥは、上位レイヤシグナリングによってPUCCH-starting-PRBが通知されると想定し、PUCCH-2nd-hop-PRBの値を無視する、又はPUCCH-2nd-hop-PRBの値が無効であると想定する。
【０１７８】
また、PUCCH-frequency-hoppingが無効である場合、ＵＥは、周波数ホッピングを行わないため、周波数ホップレベルの基準系列ホッピングも行わない。よって、ＵＥは、１つのスロット内において１つの基準系列＃ｍ０を用いる。
【０１７９】
PUCCH-frequency-hoppingが有効である場合、図１６Ｂに示すように、ＵＥは、スロット内ホッピング有り用ＳＦを適用してもよい。この場合、ＵＥは、周波数ホッピングタイミング前に第１ホップ用ＳＦを適用し、周波数ホッピングタイミング後に第２ホップ用ＳＦを適用してもよい。
【０１８０】
スロット内ホッピング有り用ＳＦ（第１ホップ用ＳＦ及び第２ホップ用ＳＦのそれぞれ）はスロット内ホッピング無し用ＳＦよりも小さい。スロット内ホッピング有り用ＳＦを用いることによって、スロット内ホッピング無し用ＳＦを用いる場合に比べて、ＯＣＣ長が短くなる。したがって、ＵＥの高速移動時に時間領域ＯＣＣ内の信号の変動が小さくなり、時間領域ＯＣＣの直交性が崩れにくくなるため、ＵＥの高速移動に対する耐性（robustness）が高くなる。
【０１８１】
ＵＥは、上位レイヤシグナリングによって、有効を示すPUCCH-frequency-hoppingが通知された場合、上位レイヤシグナリングによって通知されるPUCCH-2nd-hop-PRBが、上位レイヤシグナリングによって通知されるPUCCH-starting-PRBと等しいか否かに関わらず、スロット内ホッピング有り用ＳＦをＰＵＣＣＨに適用してもよい。
【０１８２】
また、PUCCH-frequency-hoppingが有効である場合、ＵＥは、周波数ホッピングを行うため、ＰＵＣＣＨフォーマット０〜４の少なくとも１つに対し、周波数ホッピングのタイミングにおいて基準系列ホッピングを行う（基準系列を切り替える）。この場合、ＵＥは、周波数ホッピングタイミング前に基準系列＃ｍ０を適用し、周波数ホッピングタイミング後に基準系列＃ｍ１を適用してもよい。
【０１８３】
スロット内において基準系列が変化することによって、例えば、周波数ホッピング（基準系列ホッピング）の前及び後の少なくとも一方において、複数のＵＥが異なる基準系列を用いる確率が高くなる。したがって、基準系列の衝突確率が低くなり、セル間干渉（inter-cell  interference）に対する耐性が高くなる。
【０１８４】
ＵＥは、上位レイヤシグナリングによって、有効を示すPUCCH-frequency-hoppingが通知された場合、上位レイヤシグナリングによって通知されるPUCCH-2nd-hop-PRBが、上位レイヤシグナリングによって通知されるPUCCH-starting-PRBと等しいか否かに関わらず、スロット内ホッピング有り用ＳＦをＰＵＣＣＨに適用してもよい。
【０１８５】
第１０の態様によれば、ＮＷは周波数ホッピングの設定を用いて柔軟にＳＦを変更できる。また、ＵＥは、周波数ホッピングの設定に基づいて、基準系列ホッピングを適切に制御できる。
【０１８６】
また、１つの時間領域ＯＣＣ内において同じ基準系列を使うことが好ましいため、スロットレベル又は周波数ホップレベルの基準系列ホッピングが適用される。一方、１つの時間領域ＯＣＣ内において巡回シフトを変えても時間領域ＯＣＣの直交性に影響を与えないため、巡回シフトに対し、シンボルを単位とするホッピング（シンボルレベル）が適用されてもよいし、基準系列と同様にして、スロットレベルのホッピング又は周波数ホップレベルの巡回シフトホッピングが適用されてもよい。
【０１８７】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１８８】
図１３は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１８９】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１９０】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１９１】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１９２】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１９３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成であってもよい。
【０１９４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１９５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１９６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１９７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１９８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックを有する帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１９９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０２００】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０２０１】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０２０２】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０２０３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０２０４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０２０５】
＜無線基地局＞
図１４は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０２０６】
下りリンクにより無線基地局１０からユーザ端末２０に送信されるユーザデータは、上位局装置３０から伝送路インターフェース１０６を介してベースバンド信号処理部１０４に入力される。
【０２０７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０２０８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０２０９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０２１０】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０２１１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０２１２】
また、送受信部１０３は、上り制御チャネル（ＰＵＣＣＨ）の開始時の第１周波数リソースを示す第１周波数リソース情報（例えば、PUCCH-starting-PRB）と、上り制御チャネルの周波数ホッピングのタイミング後の第２周波数リソースを示す第２周波数リソース情報（例えば、PUCCH-2nd-hop-PRB）と、をユーザ端末２０へ送信してもよい。また、送受信部１０３は、周波数ホッピングが有効であるか否かを示す周波数ホッピング情報（PUCCH-frequency-hopping）を、ユーザ端末２０へ送信してもよい。
【０２１３】
図１５は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０２１４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０２１５】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０２１６】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０２１７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０２１８】
また、制御部３０１は、上りデータ信号（例えば、ＰＵＳＣＨで送信される信号）、上り制御信号（例えば、ＰＵＣＣＨ及び／又はＰＵＳＣＨで送信される信号、送達確認情報など）、ランダムアクセスプリアンブル（例えば、ＰＲＡＣＨで送信される信号）、上り参照信号などのスケジューリングを制御する。
【０２１９】
また、制御部３０１は、第１周波数リソース情報及び第２周波数リソース情報に基づいて、上り制御チャネル（ＰＵＣＣＨ）の受信を制御してもよい。また、制御部３０１は、第１周波数リソース情報、第２周波数リソース情報、及び周波数ホッピング情報に基づいて、上り制御チャネル（ＰＵＣＣＨ）の受信を制御してもよい。また、制御部３０１は、周波数ホッピング情報に基づいて、上り制御チャネル（ＰＵＣＣＨ）の受信を制御してもよい。
【０２２０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０２２１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０２２２】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０２２３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０２２４】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２２５】
測定部３０５は、受信した信号に関する測定を実施する。測定部３０５は、本発明に係る技術分野での共通認識に基づいて説明される測定器、測定回路又は測定装置から構成することができる。
【０２２６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２２７】
＜ユーザ端末＞
図１６は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２２８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２２９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２３０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０２３１】
また、送受信部２０３は、上り制御チャネルの開始時の第１周波数リソースを示す第１周波数リソース情報（例えば、PUCCH-starting-PRB）と、上り制御チャネルの周波数ホッピングのタイミング後の第２周波数リソースを示す第２周波数リソース情報（例えば、PUCCH-2nd-hop-PRB）と、を受信してもよい。また、送受信部２０３は、周波数ホッピングが有効であるか否かを示す周波数ホッピング情報（PUCCH-frequency-hopping）を受信してもよい。
【０２３２】
図１７は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０２３３】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２３４】
制御部４０１は、ユーザ端末２０全体の制御を実施する。制御部４０１は、本発明に係る技術分野での共通認識に基づいて説明されるコントローラ、制御回路又は制御装置から構成することができる。
【０２３５】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０２３６】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２３７】
また、制御部４０１は、第２周波数リソース情報（例えば、PUCCH-2nd-hop-PRB）に示された第２周波数リソースが第１周波数リソース情報（例えば、PUCCH-starting-PRB）に示された第１周波数リソースに等しいか否かに基づいて、上り制御チャネル（ＰＵＣＣＨ）の送信を制御してもよい。
【０２３８】
また、制御部４０１は、第２周波数リソース情報に示された第２周波数リソースが第１周波数リソース情報に示された第１周波数リソースに等しいか否かと、周波数ホッピング情報（例えば、PUCCH-frequency-hopping）と、に基づいて、上り制御チャネルに適用される時間領域直交カバーコードの拡散率と、上り制御チャネルに含まれる復調用参照符号の構成と、上り制御チャネルに適用される基準系列と、の少なくとも１つを決定してもよい（第１〜第３の態様）。
【０２３９】
また、周波数ホッピング情報が有効を示し、且つ第２周波数リソース情報に示された第２周波数リソースが第１周波数リソース情報に示された第１周波数リソースと異なる場合、制御部４０１は、周波数ホッピングのタイミングにおいて、基準系列を変更してもよい（第３の態様における態様３−２）。
【０２４０】
また、制御部４０１は、第２周波数リソース情報に示された第２周波数リソースが第１周波数リソース情報に示された第１周波数リソースに等しいか否かに基づいて、周波数ホッピングが適用されるか否かを決定してもよい（第４の態様）。
【０２４１】
また、制御部４０１は、第２周波数リソース情報に示された第２周波数リソースが第１周波数リソース情報に示された第１周波数リソースに等しいか否かに基づいて、上り制御チャネルに適用される時間領域直交カバーコードの拡散率と、上り制御チャネルに含まれる復調用参照符号の構成と、上り制御チャネルに適用される基準系列と、の少なくとも１つを決定してもよい（第５〜第７の態様）。
【０２４２】
また、制御部４０１は、周波数ホッピング情報に基づいて、時間領域直交カバーコードの拡散率と、復調用参照符号の構成と、基準系列と、の少なくとも１つを上り制御チャネルに適用してもよい。
【０２４３】
また、上り制御チャネルに適用される時間領域直交カバーコードのために、非周波数ホッピング用の第１拡散率（例えば、スロット内ホッピング無し（no  intra-slot  hopping）用ＳＦ）と周波数ホッピング用の第２拡散率（例えば、スロット内ホッピング有り（intra-slot  hopping）用ＳＦ）とが、予め設定され、制御部４０１は、周波数ホッピング情報が無効を示す場合、第１拡散率を上り制御チャネルに適用し、周波数ホッピング情報が有効を示す場合、第２拡散率を上り制御チャネルに適用してもよい。
【０２４４】
また、上り制御チャネルに適用される時間領域直交カバーコードのために、１つの拡散率（例えば、スロット内ホッピング無し（no  intra-slot  hopping）用ＳＦ）と２つの拡散率（例えば、スロット内ホッピング有り（intra-slot  hopping）用ＳＦにおける第１ホップ用ＳＦ及び第２ホップ用ＳＦ）とが、予め設定され、制御部４０１は、周波数ホッピング情報が無効を示す場合、１つの拡散率を上り制御チャネルに適用し、周波数ホッピング情報が有効を示す場合、上り制御チャネルにおける周波数ホッピングのタイミングの前及び後に対し、２つの拡散率をそれぞれ適用してもよい。
【０２４５】
また、制御部４０１は、周波数ホッピング情報が有効であるか否かに関わらず、上り制御チャネルに１つの基準系列を適用してもよい。
【０２４６】
また、制御部４０１は、周波数ホッピング情報が有効を示す場合、上り制御チャネルにおける周波数ホッピングのタイミングにおいて、上り制御チャネルに適用する基準系列を変更してもよい。
【０２４７】
また、上り制御チャネルに含まれる復調用参照符号のために、第１復調用参照信号構成と、第２復調用参照信号構成とが、予め設定され、制御部４０１は、周波数ホッピング情報が無効を示す場合、第１復調用参照信号構成を上り制御チャネルに適用し、周波数ホッピング情報が有効を示す場合、第２復調用参照信号構成を上り制御チャネルに適用してもよい。
【０２４８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０２４９】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２５０】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０２５１】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２５２】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２５３】
測定部４０５は、受信した信号に関する測定を実施する。測定部４０５は、本発明に係る技術分野での共通認識に基づいて説明される測定器、測定回路又は測定装置から構成することができる。
【０２５４】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０２５５】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０２５６】
例えば、本発明の一実施形態における無線基地局、ユーザ端末などは、本発明の無線通信方法の処理を行うコンピュータとして機能してもよい。図１８は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２５７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２５８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０２５９】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０２６０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２６１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２６２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２６３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２６４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２６５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２６６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２６７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２６８】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２６９】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２７０】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２７１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２７２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２７３】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２７４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２７５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２７６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２７７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２７８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２７９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２８０】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２８１】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２８２】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２８３】
また、情報、信号などは、上位レイヤから下位レイヤ、及び／又は下位レイヤから上位レイヤへ出力され得る。情報、信号などは、複数のネットワークノードを介して入出力されてもよい。
【０２８４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２８５】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２８６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２８７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２８８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２８９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２９０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２９１】
本明細書において使用する「システム」及び「ネットワーク」という用語は、互換的に使用される。
【０２９２】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２９３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２９４】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２９５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２９６】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２９７】
同様に、本明細書におけるユーザ端末は、無線基地局で読み替えてもよい。この場合、上述のユーザ端末２０が有する機能を無線基地局１０が有する構成としてもよい。
【０２９８】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２９９】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０３００】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０３０１】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３０２】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０３０３】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３０４】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０３０５】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０３０６】
本明細書において、「ＡとＢが異なる」という用語は、「ＡとＢが互いに異なる」ことを意味してもよい。「離れる」、「結合される」などの用語も同様に解釈されてもよい。
【０３０７】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０３０８】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019159299.tif 000003
【図２】
2019159299.tif 000004
【図３】
2019159299.tif 000005
【図４】
2019159299.tif 000006
【図５】
2019159299.tif 000007
【図６】
2019159299.tif 000008
【図７】
2019159299.tif 000009
【図８】
2019159299.tif 000010
【図９】
2019159299.tif 000011
【図１０】
2019159299.tif 000012
【図１１】
2019159299.tif 000013
【図１２】
2019159299.tif 000014
【図１３】
2019159299.tif 000015
【図１４】
2019159299.tif 000016
【図１５】
2019159299.tif 000017
【図１６】
2019159299.tif 000018
【図１７】
2019159299.tif 000019
【図１８】
2019159299.tif 000020
【図１９】
2019159299.tif 000021
【図２０】
2019159299.tif 000022
【図２１】
2019159299.tif 000023
【図２２】
2019159299.tif 000024
【国際調査報告】
2019159299.tif 000025
2019159299.tif 000026
2019159299.tif 000027
2019159299.tif 000028